(57)【要約】【課題】  ＣＤ−Ｒトレイの搬送精度の向上。【解決手段】  被記録媒体へ記録を行う記録ヘッドと、被記録媒体を搬送する第１の搬送手段と、第１の搬送手段より下流側に位置する第２の搬送手段とを有する記録部と、給紙装置から給紙された被記録媒体を記録部へ搬送する第１の搬送路と、第１の搬送路とは異なる略ストレート形状の第２の搬送路を有して記録部へ被記録媒体を搬送する記録装置において、第２の搬送路を用いて記録シートとは形態の異なる被記録媒体を保持する保持手段を搬送する際は第２の搬送手段の駆動力を解除するようにしたものである。【選択図】  図１
2007118306.tif 000002
【特許請求の範囲】
【請求項１】
被記録媒体へ記録を行う記録ヘッドと、前記被記録媒体を搬送する第１の搬送手段と、該第１の搬送手段より下流側に位置する第２の搬送手段とを有する記録部と、給紙装置から給紙された前記被記録媒体を前記記録部へ搬送する第１の搬送路と、該第１の搬送路とは異なる略ストレート形状の第２の搬送路を有して前記記録部へ被記録媒体を搬送する記録装置において、前記第２の搬送路を用いて前記記録シートとは形態の異なる被記録媒体を保持する保持手段を搬送する際は前記第２の搬送手段の駆動力を解除することを特徴とするインクジェット記録装置。
【請求項２】
前記第１の搬送手段は駆動力を有する搬送ローラーと該搬送ローラーに圧接するピンチローラーとから成り、前記第２の搬送手段は前記搬送ローラーからの駆動力を伝達される排紙ローラーであることを特徴とする請求項１に記載のインクジェット記録装置。
【請求項３】
前記保持手段を前記第２の搬送路を用いて搬送する際は前記第２の搬送手段である排紙ローラーは前記搬送ローラーからの駆動力が解除されて従動回転することを特徴とする請求項１及び２に記載のインクジェット記録装置。
【請求項４】
前記保持手段を前記第２の搬送路を用いて搬送する際は前記第２の搬送手段である排紙ローラーは前記保持手段より離間することを特徴とする請求項１及び２に記載のインクジェット記録装置。
【請求項５】
前記保持手段は記録部への給紙時又は記録後の排紙時は前記排紙ローラーによって搬送され、被記録媒体へ記録を行う際に排紙ローラーは駆動力を解除又は前記保持手段より離間されることを特徴とする請求項１から４のいずれかに記載のインクジェット記録装置。
【請求項６】
被記録媒体の種類に応じて前記排紙ローラーの駆動力解除をオン／オフし、又は排紙ローラーの前記保持手段への接離を選択する選択制御手段を有することを特徴とする請求項１から５のいずれかに記載のインクジェット記録装置。
【請求項７】
前記保持手段は記録装置の排紙口側より挿入され、一端、上流側へ搬送された後、スイッチバックされ、記録を行いながら搬送されることを特徴とする請求項１から請求項６のいずれかの項に記載のインクジェット記録装置。
【請求項８】
前記保持手段は薄板形状部材であることを特徴とする請求項１から請求項７のいずれかの項に記載のインクジェット記録装置。
【請求項９】
前記保持手段に保持される前記被記録媒体は光記録媒体であることを特徴とする請求項１から請求項８のいずれかの項に記載のインクジェット記録装置。
【請求項１０】
前記記録ヘッドはインクの飛翔液滴を吐出する吐出口をもったインクジェットヘッドであることを特徴とする請求項１から請求項９のいずれかの項に記載のインクジェット記録装置。
【請求項１１】
前記記録ヘッドは熱エネルギーを用いてインクを吐出して記録を行うヘッドであって、インクに与える熱エネルギーを発生するための電気熱エネルギー変換体を備えていることを特徴とする請求項１から請求項１０のいずれかの項に記載のインクジェット記録装置。
【発明の詳細な説明】
【技術分野】
【０００１】
本発明はインクジェット記録装置において、光記録媒体を装着した保持手段の搬送に関するものである。
【背景技術】
【０００２】
ここではインクジェット方式による記録装置を従来例として説明する。
【０００３】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点があり、急速に普及が拡大している。
【０００４】
また、記録用インクや被記録材料の開発が進み、特に被記録材料としても普通紙以外に光沢紙、光沢フィルムや円盤状の媒体への記録、例えばＣＤ（コンパクトディスク）表面への文字や図柄のプリント等の要求が高まってきている。
【０００５】
ＣＤに記録内容を明示するためのタイトルやメモを記載する方法として非記録面にラベルシールを貼る方法が一般的である。
【０００６】
また、最近ではサインペンやフェルトペン等で直接記載できるように印字領域が形成されたものもある。
【０００７】
また、ＣＤにおいては印刷領域に記載したい内容をパーソナルコンピュータを用いて印刷する装置が知られており、特に最近ではパーソナル向けのインクジェットプリンタにおいてもＣＤ印刷機能が備わったものがある。
【０００８】
このような装置は、特開２００４−０４２３８３、特開２００４−２４７００７で開示されているが、被記録媒体であるＣＤを保持部材であるトレイへ装着し、プリンタ本体へ装着されたトレイガイドの案内部にトレイを挿入し所定位置へセットした後、トレイは排紙ローラーによって給紙され、一端、上流側へ搬送された後、スイッチバックされ、搬送ローラー対によって搬送されて、記録ヘッドによって印刷を行うものである。
【特許文献１】特開２００４−０４２３８３号公報
【特許文献２】特開２００４−２４７００７号公報
【発明の開示】
【発明が解決しようとする課題】
【０００９】
上述従来例に示す装置において、被記録媒体であるＣＤを保持するトレイは駆動力を有する搬送ローラーと搬送ローラーに圧接するピンチローラーとで挟持され、搬送ローラーからの駆動力を伝達される排紙ローラーによって搬送される。
【００１０】
給紙装置から給紙された被記録媒体である記録シートへ精度良く記録を行うために、記録シートがたるまないように排紙ローラーは搬送ローラーに対して記録シートの搬送量を多めに設定してある。
【００１１】
具体的には搬送ローラーからの駆動を排紙ローラーへ伝達する伝達手段であるギアを排紙ローラー部において０．０１％〜０．５％増速ぎみに設定し、記録シートをぴんと張るようにしてある。
【００１２】
以上のような装置において、トレイを搬送ローラー／ピンチローラー対で搬送する際に増速された排紙ローラーがトレイに接触しているため搬送抵抗となって、斜行が発生したり、トレイを精度良く搬送することが出来ずに画像品位が低下し、画像ムラが発生してしまうものであった。
【課題を解決するための手段】
【００１３】
本発明は被記録媒体であるＣＤを装着したトレイの搬送精度の向上を目的とし、被記録媒体へ記録を行う記録ヘッドと、被記録媒体を搬送する第１の搬送手段と、第１の搬送手段より下流側に位置する第２の搬送手段とを有する記録部と、給紙装置から給紙された被記録媒体を記録部へ搬送する第１の搬送路と、第１の搬送路とは異なる略ストレート形状の第２の搬送路を有して記録部へ被記録媒体を搬送する記録装置において、第２の搬送路を用いて記録シートとは形態の異なる被記録媒体を保持する保持手段を搬送する際は第２の搬送手段の駆動力を解除するようにしたものである。
【００１４】
また、第１の搬送手段は駆動力を有する搬送ローラーと搬送ローラーに圧接するピンチローラーとから成り、第２の搬送手段は搬送ローラーからの駆動力を伝達される排紙ローラーであるようにしたものである。
【００１５】
また、保持手段を第２の搬送路を用いて搬送する際は第２の搬送手段である排紙ローラーは搬送ローラーからの駆動力が解除されて従動回転するようにしたものである。
【００１６】
また、保持手段を第２の搬送路を用いて搬送する際は第２の搬送手段である排紙ローラーは保持手段より離間するようにしたものである。
【００１７】
また、保持手段は記録部への給紙時又は記録後の排紙時は排紙ローラーによって搬送され、被記録媒体へ記録を行う際に排紙ローラーは駆動力を解除又は保持手段より離間されるようにしたものである。
【００１８】
また、被記録媒体の種類に応じて排紙ローラーの駆動力解除をオン／オフし、又は排紙ローラーの保持手段への接離を選択する選択制御手段を有するようにしたものである。
【００１９】
また、保持手段は記録装置の排紙口側より挿入され、一端、上流側へ搬送された後、スイッチバックされ、記録を行いながら搬送されるようにしたものである。
【００２０】
また、保持手段は薄板形状部材であるようにしたものである。
【００２１】
また、  前記保持手段に保持される前記被記録媒体は光記録媒体であるようにしたものである。
【００２２】
また、記録ヘッドはインクの飛翔液滴を吐出する吐出口をもったインクジェットヘッドであるようにしたものである。
【００２３】
また、記録ヘッドは熱エネルギーを用いてインクを吐出して記録を行うヘッドであって、インクに与える熱エネルギーを発生するための電気熱エネルギー変換体を備えているようにしたものである。
【発明の効果】
【００２４】
以上説明したように、本発明のインクジェット記録装置は、ＣＤ記録を行う際に排紙ローラーは搬送ローラーからの駆動力を解除し従動回転するように構成したので、排紙ローラーがトレイを搬送するための搬送抵抗となることがないため、トレイの斜行が発生することがなく、トレイを精度良く搬送することが出来るため、画像ムラが発生しない、高画質な記録が得られる記録装置とすることが出来る。
【００２５】
また、排紙ローラーがトレイより離間されるように構成したものは、さらに搬送抵抗の要因となるものを排除することが出来るためより高画質な記録が得られる記録装置とすることが出来る。
【発明を実施するための最良の形態】
【００２６】
（実施例１）
本発明の実施例１を図１、図２を用いて説明する。自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（II）送紙部、（III）キャリッジ部、（IV）クリーニング部、（Ｖ）排紙部の説明をする。
【００２７】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００２８】
上記構成において、待機状態ではリリースカム２９が圧板２１を所定位置まで押し下げている。これにより、圧板２１と給送回転体２２の当接は解除される。そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００２９】
（II）送紙部
送紙部３は記録紙Ｐを搬送する搬送ローラー３６とＰＥセンサー３２を有している。搬送ローラー３６には従動するピンチローラー３７が当接して設けられている。
【００３０】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００３１】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサ−レバ−３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００３２】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００３３】
（III）キャリッジ部
キャリッジ部５は、記録ヘッド７を取り付けるキャリッジ５０を有している。そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシ８に取り付けられている。また、キャリッジ５０はシャーシ８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００３４】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００３５】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００３６】
（IV）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００３７】
（Ｖ）排紙部
排紙部４には２本の排紙ローラー４１，４１Ａが設けられている。搬送ローラー３６と排紙ローラー４１及び排紙ローラー４１と排紙ローラー４１Ａは後述のギア４０、４０Ａによって連結され、搬送ローラー３６の駆動力が排紙ローラー４１，４１Ａに伝達される。
【００３８】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、排紙ローラー４１、４１Ａと拍車４２、４２ａとに挟まれ、搬送されて排紙トレイ１００に排出される。
【００３９】
次に本発明に係る形態の異なる被記録媒体であるＣＤ（コンパクトディスク）の搬送、記録に関する構成及び動作を図３〜図９を用いて説明する。
【００４０】
図３は搬送部の側面からの断面図、図４はプリンタ本体にＣＤユニット１０１と記録媒体であるＣＤを装着したトレイをセットした状態、図５はプリンタ本体にＣＤユニットが装着された側面からの断面図、図６はトレイのセット状態を示す側面図、図７はＣＤのセット状態を示す斜視図、図８はトレイのセット状態を示す側面からの断面図、図９はＣＤへの印刷開始状態を示す側面からの断面図である。
【００４１】
尚、以下に説明する下ケース９９とトレイガイド１０３の嵌合部側面及びスライドカバー１０２の側面は左右同形状であり、フック１０４、アーム１０５はトレイガイド１０３の左右側面にそれぞれ取付けられたものである。
【００４２】
図３において、不図示の駆動源によって駆動される搬送ローラー３６にはギア３６-1が取付けられ、排紙ローラー４１及び排紙ローラー４１Ａにはそれぞれギア４１-1、４１Ａ-1が取付けられており、ギア４１-1とギア４１Ａ-1は伝達ギア４０Ａによって連結されている。
【００４３】
ここで、給紙装置から給紙された記録紙へ記録を行う際に記録紙のたるみを発生させないために排紙ローラー４１Ａ部では搬送ローラー３６に対して０．０５％増速させたギア比となっている。
【００４４】
そして、ギア３６-1とギア４１-1はアーム４５の一端に回動可能に付けられた伝達ギア４０がアーム４５の移動動作によって接離可能に構成されている。
【００４５】
アーム４５は４５Ａ部で軸支され移動可能となっており、他端は電磁ソレノイド４６で保持され、電磁ソレノイド４６のオン／オフによって伝達ギア４０はギア３６-1、４１-1と接離するようになっている。
【００４６】
図４において、ＣＤユニット１０１を後述の下ケース９９に装着し、スライドカバー１０２をプリンタ本体方向へ移動させると開口部１０２ａが現れ、ＣＤを装着したトレイ１０６を開口部１０２ａから挿入し、所定位置にセットし、プリント動作開始となる。
【００４７】
ＣＤユニット１０１を下ケース９９に装着すると不図示のスイッチによって検出され、ピンチローラーホルダー３０が不図示の駆動源によって回動され、ピンチローラー３７は搬送ローラー３６より離間される。
【００４８】
図５において、トレイガイド１０３には軸１０３ｂと嵌合する穴１０４ａを有し、軸１０３ｂを中心に回動可能に軸支された樹脂製のフック１０４が設けられている。
【００４９】
フック１０４のトレイガイド１０３への取付けは、側方から穴１０４ａと軸１０３ｂとが嵌合するように行うが、その際、フック１０４のフランジ部１０４ｆとトレイガイド１０３に設けた弾性リブ１０３ｇとが当接するが、弾性リブ１０３ｇの当接部１０３ｈはテーパー形状となっているため、フランジ部１０４ｆはテーパー面を滑りながら当接部１０３ｈは矢印ｃ方向に回動してフック１０４は所定位置に納まる。
【００５０】
そして、当接部１０３ｈは弾性力によって元の位置に戻った後はフランジ部１０４ｆと当接してフック１０４のスラスト方向抜け止めとなる。
【００５１】
フック１０４の一端には薄板形状部１０４ｃが設けられ、トレイガイド１０３に設けられた軸１０３ｃと当接して弾性力を発生しフック１０４の爪部１０４ｂを常に下ケース９９の突起部９９ａ側へ付勢している。
【００５２】
ＣＤユニット１０１をＹ方向へスライドさせるとフック１０４の爪部１０４ｂと突起部９９ａに設けられた切欠き部９９ｂとが嵌合して位置が決まる。
【００５３】
トレイガイド１０３の嵌合溝１０３ａは入口部１０３ａ１が幅広であり、斜面１０３ａ２が形成されるため、下ケース９９の突起部９９ａとの嵌合をスムーズに行うことができる。
【００５４】
また、フック１０４と突起９９ａとの嵌合時にフック１０４は突起９９ａの先端部９９ａ１と当接するが、傾斜部１０４ｅが設けられているため、フック１０４は矢印ａ方向へ回転しながら先端部９９ａ１を乗り越えた後、薄板形状部１０４ｃの弾性力によって爪部１０４ｂは切欠き部９９ｂと嵌合する。
【００５５】
そして、下ケースの先端部９９ａ１がトレイガイド当接面１０３ｉに当接してプリンタ本体へのＣＤユニット１０１のＹ方向の位置が決まる。
【００５６】
ここでフック１０４はポリアセタール等の潤滑性に優れた材質が好ましい。
【００５７】
トレイガイド１０３には案内溝１０３ｄが設けられ、案内溝１０３ｄを摺動するアーム１０５が揺動可能に具備されている。
【００５８】
アーム１０５にはボス１０５ｂが設けられ、ボス１０５ｂはスライドカバー１０２の裏側に設けられた溝部１０２ｄと嵌合している。
【００５９】
スライドカバー１０２にはトレイガイド１０３の案内溝１０３ｅと摺動嵌合するボス１０２ｂ、１０２ｃが設けられ、スライドカバーはボス１０２ｂ、１０２ｃと案内溝１０３ｅとで位置決めされて矢印ｂ方向へ移動可能となっている。
【００６０】
スライドカバー１０２は上述のアーム１０５が接続されているためスライドカバー１０２が矢印ｂ方向へ動作するのに連動してアーム１０５は水平方向へ動作するようになっている。
【００６１】
スライドカバー１０２をプリンタ本体方向へ移動させると、アーム１０５は同様にプリンタ本体方向へ突出し、プラテン３４と拍車４２、４２ａを回転可能に支持する拍車ベース４３との間に入り込み、拍車ベース４３を上昇させ、プラテン３４と拍車ベース４３との間にトレイ１０６が通過できるスペースを形成する。
【００６２】
この際、アーム１０５の先端に形成された傾斜部１０５ａによってアーム１０５はスムーズにプラテン３４と拍車ベース４３との間に入り込むことができる。
【００６３】
また、アーム１０５はプラテン３４と拍車ベース４３との間に入った状態で位置が決まるようになっており、トレイガイド１０３へ収納された状態ではトレイガイド１０３に対しガタを持った構成となっている。
【００６４】
図６、７において、トレイ１０６の先端部１０６ｅは搬送ローラー３６とピンチローラー３７との間に入り易いようにテーパー形状となっており、且つマイラーシートやＰＥＴシート等の薄板形状のトレイシート１１２が具備されている。
【００６５】
また、トレイ１０６のＣＤ装着部中心１０６ａにはＣＤの中心部穴と嵌合するトレイ１０６と一体から成る弾性力をもった爪部１０６ｆ１、１０６ｆ２が２ヶ所設けられ、ＣＤの位置決めを行っている。
【００６６】
１０６ｂ、１０６ｃは、トレイ１０６からＣＤを取り外す際に指を掛けるための穴である。
【００６７】
１０６ｄは、トレイ１０６をセットする時に操作性を良くするための指掛け溝である。
【００６８】
１０７Ａ、１０７Ｂは、それぞれにコロ１０８Ａ、１０８Ｂを回転可能に軸支するコロホルダーであり、トレイ１０６を略均等に押圧するためにトレイ１０６の左右側端近傍で、搬送時にＣＤと当接しない位置に設けられている。
【００６９】
コロホルダー１０７Ａ、１０７Ｂは一端の両側に軸部１０７Ａａ、１０７Ｂａを有し、軸部１０７Ａａ、１０７Ｂａを中心に回動可能にスライドカバー１０２の軸受部１０２ｅに取付けられており、バネ１１１によって下方へ付勢されている。
【００７０】
すなわち、トレイ１０６は上述のバネ１１１の力でコロ１０８Ａ、１０８Ｂによって先端が排紙ローラー４１Ａへ付勢されている。
【００７１】
以上の状態から搬送ローラー３６が矢印ＣＣＷ方向へ回転すると、排紙ローラー４１Ａも同方向に回転し、トレイ１０６は排紙ローラー４１Ａによって搬送され、ＬＦモーターを駆動源する搬送ローラー３６によってプリンタ装置奥へ所定量搬送される。（図８）
ＣＤを装着したトレイ１０６が搬送されると、記録装置側に設けた不図示のセンサによってＣＤ検出動作を行い、ＣＤが検出されると印刷を行い、未検出の場合は印刷動作は行わずトレイ１０６は排出される。
【００７２】
図９は、記録ヘッド７による印刷開始状態で、ＣＤが検出されると図３に示すように電磁ソレノイド４６がオンとなりアーム４５が移動することで伝達ギア４０はギア３６-1、４１-1から離間される。
【００７３】
従って、搬送ローラー３６の駆動力は排紙ローラー４１へ伝達されなくなり、排紙ローラー４１、４１Ａはトレイ１０６を支持するだけとなる。
【００７４】
ＣＤへの印刷時は搬送ローラー３６が矢印ＣＷ方向へ回転し、記録ヘッド７による印刷を行いながらトレイ１０６は搬送ローラー３６によって装置手前へ搬送される。
【００７５】
この時、排紙ローラー４１、４１Ａはトレイ１０６によって従動回転される。
【００７６】
記録ヘッド７によるＣＤへの記録が終了すると、電磁ソレノイド４６がオフとなりアーム４５が移動することで伝達ギア４０はギア３６-1、４１-1に連結し、搬送ローラー３６の駆動力が排紙ローラー４１、４１Ａへ伝達される。
【００７７】
そして、トレイ１０６は排紙ローラー４１、４１Ａによって先端１０６ｅが排紙ローラー４１Ａから外れる位置まで搬送される。
【００７８】
ＣＤへの印刷終了後は、トレイ１０６を取出し、スライドカバー１０２を手前へ移動させ、図４に示すアーム１０５に設けた突起１０５ｃとフックの凸部１０４ｄとが係合し、フック１０４が矢印ａ方向に回転し、爪部１０４ｂと切欠き部９９ｂとの嵌合が外れ、トレイガイド１０３と下ケース９９との嵌合が外れ、ＣＤユニットはプリンタ本体から離脱される。
【００７９】
ここで、本実施例ではアーム４５の回動を電磁ソレノイド４６としたがモータによる駆動源としも良い。
【００８０】
（実施例２）
図１０は記録装置の搬送部の側面からの断面図である。
【００８１】
本実施例に示す記録装置は排紙ローラー４１、４１Ａ及び伝達ギア４０，４０Ａがホルダー４７に回転可能に取り付けられており、ホルダー４７は軸４７Ａを中心に回動可能となっている。
【００８２】
ＣＤへの記録時は不図示の駆動源によってホルダー４７は回動され排紙ローラー４１、４１Ａはトレイ１０６より離間される。
【００８３】
ＣＤへの記録が終了するとホルダー４７が回動され伝達ギア４０は搬送ローラーギア３６ー１と連結されて搬送ローラー３６の駆動力が排紙ローラー４１、４１Ａへ伝達され、排紙ローラー４１、４１Ａはトレイ１０６と接するため、トレイ１０６は排紙ローラー４１、４１Ａによって先端１０６ｅが排紙ローラー４１Ａから外れる位置まで搬送される。
【００８４】
以下、その動作については第１の実施例で述べたものと略同様である。
【００８５】
ここで、本実施例では一般に厚さ２ｍｍ〜３ｍｍであるトレイ１０６を搬送するものとしたが、ボード紙やファインアート紙等の厚紙を搬送するようにしても良い。
【００８６】
また、実施例１、２においてインクジェット記録装置を例にあげて説明したが、インクジェット以外の溶融型や昇華型等の熱転写方式の記録装置であっても良い。
【図面の簡単な説明】
【００８７】
【図１】本発明のインクジェット記録装置の一実施例の全体構成を示す斜視図である。
【図２】本発明のインクジェット記録装置の一実施例の側面からの構成断面図である。
【図３】本発明に係わる記録装置の搬送部の側面からの断面図である。
【図４】本発明に係わる記録装置のプリンタ本体にＣＤユニットと記録媒体であるＣＤを装着したトレイをセットした状態を示す斜視図である。
【図５】本発明に係わる記録装置のプリンタ本体にＣＤユニットが装着された側面からの断面図である。
【図６】本発明に係わる記録装置のＣＤのセット状態を示す側面図である。
【図７】本発明に係わる記録装置のＣＤのセット状態を示す斜視図である。
【図８】本発明に係わる記録装置のトレイのセット状態を示す側面からの断面図である。
【図９】本発明に係わる記録装置のＣＤへの印刷開始状態を示す側面からの断面図である。
【図１０】実施例２の記録装置の搬送部の側面からの断面図である。
【符号の説明】
【００８８】
１  記録装置
２  給紙部
３  送紙部
４  排紙部
５  キャリッジ部
６  クリーニング部
７  記録ヘッド  ８  シャーシ
２０  ベース
２１  圧板
２２  給送回転体
２４  圧板バネ
３０  ピンチローラーホルダー
３４  プラテン
３６  搬送ローラー
３７  ピンチローラー
４０  伝達ギア
４０Ａ  伝達ギア
４１  排紙ローラー
４１Ａ  排紙ローラー
４２  拍車
４２Ａ  拍車
４３  拍車ベース  ４５  アーム
４６  電磁ソレノイド
４７  ホルダー
５０  キャリッジ
８１  ガイド軸
９９  下ケース
９９ａ  突起部
９９ａ１  先端部
９９ｂ  切欠き部
１０１  ＣＤユニット
１０２  スライドカバー
１０２ａ  開口部
１０２ｂ、１０２ｃ  ボス
１０２ｄ  溝部
１０２ｅ  軸受部
１０３  トレイガイド
１０３ａ  嵌合溝
１０３ａ１  入口部
１０３ａ２  斜面
１０３ｂ  軸
１０３ｃ  軸
１０３ｄ  案内溝
１０３ｅ  案内溝
１０３ｆ１〜１０３ｆ５  リブ
１０３ｇ  弾性リブ
１０３ｈ  当接部
１０３ｉ  当接面
１０４  フック
１０４ａ  穴
１０４ｂ  爪部
１０４ｃ  薄板形状部
１０４ｄ  凸部
１０４ｅ  傾斜部
１０４ｆ  フランジ部
１０５  アーム
１０５ａ  傾斜部
１０５ｂ  ボス
１０５ｃ  突起
１０６  トレイ
１０６ａ  ＣＤ装着部中心
１０６ｂ、１０６ｃ  指掛け穴
１０６ｄ  指掛け溝
１０６ｅ  先端部
１０６ｆ１、１０６ｆ２  爪部
１０６ｇ  切欠き
１０６ｈ  切欠き開始位置
１０６ｉ、１０６ｉＡ、１０６ｉＢ  ＣＤ装着部
１０６ｊ１、１０６ｊ２  傾斜面
１０６ｋ１〜１０６ｋ５  巾広リブ
１０６ｌ  リブ
１０６ｍ  リブ
１０６ｎ  リブ
１０６ｏ  ＣＤ検出用穴
１０６ｐ１、１０６ｐ２、１０６ｑ１、１０６ｑ２  マーク
１０６ｓ  穴
１０６ｔ１、１０６ｔ２  ラック穴
１０６ｕ１、１０６ｕ２  突起
１０７Ａ、１０７Ｂ  コロホルダー
１０７Ａａ、１０７Ｂａ  軸部
１０８Ａ、１０８Ｂ  コロ
１１０  コロ
１１１  バネ
１１２、１１２-1、１１２-2  トレイシート
１１３  圧接ローラー
【図１】
2007118306.tif 000003
【図２】
2007118306.tif 000004
【図３】
2007118306.tif 000005
【図４】
2007118306.tif 000006
【図５】
2007118306.tif 000007
【図６】
2007118306.tif 000008
【図７】
2007118306.tif 000009
【図８】
2007118306.tif 000010
【図９】
2007118306.tif 000011
【図１０】
2007118306.tif 000012